(57)【要約】【目的】  掃除機本体の床面引き回し時のローラーによる騒音や、ローラーによる床面や家具の傷付けを無くすようにした電気掃除機であって、その耐久性を向上させた電気掃除機を提供することにある。【構成】  吸込口から吸い込んだ空気中の塵埃を除去する掃除機本体と、掃除機本体の両側面に設けたローラーとを有し、このローラーの接地面全周を紡績布で覆って固定する。紡績布とローラーとの間には、クッション材を介在させてもよい。また、ローラーの側面壁外面から接地面を越えてローラーの内面側にかけて巾着状の紡績布でようにしてもよい。また、側面壁の外面から接地面にかけて紡績布で覆い、その端部を接地面壁と嵌合部材との間に挟着して固定するようにしてもよい。【選択図】        図２
2005040421.tif 000002
【特許請求の範囲】
【請求項１】
吸込口から吸い込んだ空気中の塵埃を除去する掃除機本体と、掃除機本体の両側面に設けたローラーとを有し、このローラーの接地面全周を紡績布で覆って固定したことを特徴とする電気掃除機。
【請求項２】
前記紡績布とローラーとの間にクッション材を介在させたことを特徴とする請求項１記載の電気掃除機。
【請求項３】
吸込口から吸い込んだ空気中の塵埃を除去する掃除機本体と、掃除機本体の両側面に設けたローラーとを有し、ローラーの側面壁外面から接地面を越えてローラーの内面側にかけて巾着状の紡績布で覆い、ローラーの内面側において巾着状の開口部をゴム紐で収縮させることにより、紡績布をローラーの側面壁外面から接地面にかけて固定してなることを特徴とする電気掃除機。
【請求項４】
吸込口から吸い込んだ空気中の塵埃を除去する掃除機本体と、掃除機本体の両側面に設けたローラーとを有し、ローラーは側面形状が円形の側面壁と、この側面壁の周縁から内面側に向かって所定幅の接地面を形成する接地面壁とを備えてなり、側面壁の外面から接地面にかけて紡績布で覆い、紡績布の端部をローラーの内面側となる接地面壁の内周面へ折り返し、接地面壁の内周面に嵌着される環状壁を備えた嵌合部材を接地面壁の内周側に挿入することにより、紡績布の折り返し端部を接地面壁と環状壁との間に挟着して紡績布をローラーに固定してなることを特徴とする電気掃除機。
【請求項５】
前記環状壁の外周面部に、紡績布の折り返し端部が接地面壁と環状壁との間から抜けるのを防止する返りを設けたことを特徴とする請求項４記載の電気掃除機。
【請求項６】
吸込口から吸い込んだ空気中の塵埃を除去する掃除機本体と、掃除機本体の両側面に設けたローラーと、ローラーの中心部側面をカバーする側面カバーとを有し、ローラーは、接地面を備えた輪部とこの輪部に接続される内鍔部とから形成され、内鍔部の中心側は空間部とされ、側面カバーは、内鍔部の外面略全体及び内鍔部の中心側の空間部を覆うように輪部の内周側に挿入され、さらに、ローラーには輪部の外面及び接地面を覆うように内鍔部の外面から接地面の裏側にかけて紡績布が被せられ、紡績布は両端部で溶着されてなることを特徴とする電気掃除機。
【発明の詳細な説明】
【技術分野】
【０００１】
本発明は、家庭用又は産業用の電気掃除機に関し、特に、掃除機本体に設けられるローラーに関するものである。
【背景技術】
【０００２】
従来の電気掃除機においては、掃除機本体の底部後方側にはキャスターが回転自在に設けられ、掃除機本体の両側面にはローラーが設けられている。また、ローラーの外周には軟質ビニールからなるタイヤが設けられ、床面との接触をソフト化している。そして、このような電気掃除機では、使用者が掃除中にホースを引張ったり、ホースを左右に振ることにより、掃除機本体を好きな方向に移動させていた。
【０００３】
しかし、このような構造のローラーでは、ローラー全体が硬質の樹脂などで構成されているため走行する際に床面との接触音が大きかった。特に、敷居などの段差を乗り越える場合の衝撃音が大きく、同時に床面や敷居などの段差部分に傷をつけやすいという問題があった。また、家具などに当たった場合も傷付け易いという問題があった。
【０００４】
そこで、このような問題を解決するものとして、ローラーの接地面全周に起毛布を固着した電気掃除機が開発された（特許文献１参照）。
【０００５】
ところが、この起毛布は、電気掃除機を使用している間に部分的に毛が抜けることがある。そして、部分的に毛が抜けると方向転換時などにおいてローラーが滑りにくくなるという問題があり、さらに滑りにくくなることから毛の抜けがより促進されるという問題があった。
【特許文献１】特開平７−３１３４０９号公報
【発明の開示】
【発明が解決しようとする課題】
【０００６】
本発明は、このような従来の技術に存在する問題点に着目してなされたものであって、その目的は、掃除機本体の床面引き回し時のローラーによる騒音や、ローラーによる床面や家具の傷付けを無くすようにした電気掃除機であって、その耐久性を向上させた電気掃除機を提供することにある。
【課題を解決するための手段】
【０００７】
本発明に係る第１の手段は、このような課題を達成するために、吸込口から吸い込んだ空気中の塵埃を除去する掃除機本体と、掃除機本体の両側面に設けたローラーとを有し、このローラーの接地面全周を紡績布で覆って固定したことを特徴とする。
【０００８】
また、上記第１の手段において、前記紡績布とローラーとの間にクッション材を介在させてもよい。
【０００９】
また、前記課題を達成するための第２の手段は、吸込口から吸い込んだ空気中の塵埃を除去する掃除機本体と、掃除機本体の両側面に設けたローラーとを有し、ローラーの側面壁外面から接地面を越えてローラーの内面側にかけて巾着状の紡績布で覆い、ローラーの内面側において巾着状の開口部をゴム紐で収縮させることにより、紡績布をローラーの側面壁外面から接地面にかけて固定してなることを特徴とする。
【００１０】
また、前記課題を達成するための第３の手段は、吸込口から吸い込んだ空気中の塵埃を除去する掃除機本体と、掃除機本体の両側面に設けたローラーとを有し、ローラーは側面形状が円形の側面壁と、この側面壁の周縁から内面側に向かって所定幅の接地面を形成する接地面壁とを備えてなり、側面壁の外面から接地面にかけて紡績布で覆い、紡績布の端部をローラーの内面側となる接地面壁の内周面へ折り返し、接地面壁の内周面に嵌着される環状壁を備えた嵌合部材を接地面壁の内周側に嵌入することにより、紡績布の折り返し端部を接地面壁と環状壁との間に挟着して紡績布をローラーに固定してなることを特徴とする。
【００１１】
また、このような第３の手段において、前記環状壁の外周面部に、紡績布の折り返し端部が接地面壁と環状壁との間から抜けるのを防止する返りを設けてもよい。
【００１２】
前記課題を達成するための第４の手段は、吸込口から吸い込んだ空気中の塵埃を除去する掃除機本体と、掃除機本体の両側面に設けたローラーと、ローラーの中心部側面をカバーする側面カバーとを有し、ローラーは、接地面を備えた輪部とこの輪部に接続される内鍔部とから形成され、内鍔部の中心側は空間部とされ、側面カバーは、内鍔部の外面略全体及び内鍔部の中心側は空間部を覆うように輪部の内周側に挿入され、さらに、ローラーには輪部の外面及び接地面を覆うように内鍔部の外面から接地面の裏側にかけて紡績布が被せられ、紡績布は両端部で溶着されてなることを特徴とする。
【発明の効果】
【００１３】
本発明に係る第１の手段によれば、紡績布の弾力によってローラーと床面との間での接触音を小さくし、床面に対し傷付け難くすることができる。また、段差部を乗り越えるときの衝撃音や家具に当たったときの衝撃音を弱くすることができ、段差部や家具に対し傷付け難くすることができる。また。紡績布は起毛布のように部分的に脱毛などの変化が起こりにくく耐久性に優れている。
【００１４】
また、このような第１の解決手段において、紡績布とローラーとの間にクッション材を介在させると、ローラーの接触面のクッション性を高めることができ、床面、段差部或いは家具などに対しより一層傷付け難くするとともに、段差部或いは家具などに対する衝撃音や、掃除機本体引き回し時の走行音を小さくすることができる。
【００１５】
また、本発明に係る第２の手段によれば、ローラーの側面壁外面から接地面を巾着状の紡績布で覆われているので、前述の第１の手段におけると同様に、床面及び家具への傷付けを緩和するとともに、床面及び家具との間で発生する衝撃音及び走行音を緩和することができる。また、巾着状の開口部を広げて簡単にローラーに紡績布を着脱することができる。したがって、紡績布が汚れた場合には簡単に紡績布のみを洗濯することもできる。
【００１６】
また、本発明に係る第３の手段によれば、ローラーの側面壁の外面から接地面にかけて紡績布で覆われているので、前述の第１の手段におけると同様に、床面及び家具への傷付けを緩和するとともに、床面及び家具との間で発生する衝撃音及び走行音を緩和することができる。また、嵌合部材を接地面壁の内周側に挿入することで、紡績布の端部を接地面壁と嵌合部材の環状壁との間に挟着しているので、紡績布の張りが向上する。また、組みたて工数が低減され、コストを軽減することができる。
【００１７】
また、このような第３の手段において、環状壁の外周面部に、紡績布の折り返し端部が接地面壁と環状壁との間から抜けるのを防止する返りを設けると、紡績布の張りを長期にわたり維持することができる。
【００１８】
また、本発明に係る第４の手段によれば、ローラーの接地面及び外面が紡績布で覆われているので、実施例１の場合と同様に、床面及び家具への傷付けを緩和するとともに、床面及び家具との間で発生する衝撃音及び走行音を緩和することができる。また、紡績布の端部は側面カバーで覆われているので、外観が向上するとともに、紡績布の固着部が剥がれ難くなるという効果を有する。
【発明を実施するための最良の形態】
【００１９】
以下本発明の実施例について説明する。
【実施例１】
【００２０】
先ず、実施例１について図１及び図２に基づき説明する。図１は本発明の実施例１に係る電気掃除機の掃除機本体の外観側面図である。図２は同電気掃除機のローラー部の断面図である。
【００２１】
実施例１に係る電気掃除機の掃除機本体１は、図示しない吸込具から吸い込んだ空気を集塵室に通して、空気中の塵埃を分離除去し蓄積するものである。また、掃除機本体１は、図１に示すように、前面に吸込口２を有し、底部の前方側に回転自在に取り付けられたキャスター３を有する。また、掃除機本体１の後部の両側面に掃除機本体１を移動するためのローラー４を有する。そして、掃除機本体１は、吸込口２に接続されるホース（図示せず）を介して引き回される。
【００２２】
ローラー４は、円形側面壁１１の周縁に、側面壁１１の内面側に向かう所定幅の接地面１２が形成された接地面壁１３を備えている。また、側面壁１１の中央部には３本の爪１４が形成されている。この爪１４は、ローラー４を掃除機本体１に取り付けられるためのものである。
【００２３】
また、ローラー４の側面壁１１の外面及び接地面壁１３の接地面（外周面）１２に紡績布５が張られている。この紡績布５は、ローラー４の内面側となる接地面壁１３の内周面側に折り返され、接地面壁１３の内周面における所定位置１５で溶着などの手段により固着されている。
【００２４】
上述の実施例１によれば、吸込口２から吸い込んだ空気中の塵埃を除去する掃除機本体１と、掃除機本体１の両側面に設けたローラー４とを有し、このローラー４の接地面１２全周を紡績布で覆って固定しているので、紡績布５の弾力によってローラー４と床面との間での接触音を小さくし、床面に対し傷付け難くすることができる。また、床面の段差部を乗り越えるときの衝撃音や家具に当たったときの衝撃音を弱くすることができ、段差部や家具に対し傷付け難くすることができる。また。紡績布５は起毛布のように部分的に脱毛などの変化が起こりにくく耐久性に優れている。
【実施例２】
【００２５】
次ぎに、実施例２を図３に基づいて説明する。図３は、実施例２に係る電気掃除機のローラー部の断面図である。なお、図３において、実施例１と同一又は相当する個所には同一の符号を付しその説明を省略する。
【００２６】
実施例２は、実施例１において、ローラー４と紡績布５との間に発泡性材料からなるクッション材２０を介在させたものである。なお、他の構成は実施例１と同一である。
【００２７】
実施例２は、以上のように、実施例１の構成に付け加えて、紡績布５とローラー４との間にクッション材２０を介在させているので、床面、段差部或いは家具などに対しより一層傷付け難くするとともに、段差部或いは家具などに対する衝撃音や、掃除機本体１引き回し時の走行音を小さくすることができる。
【実施例３】
【００２８】
次に、実施例３を図４〜図６に基づいて説明する。図４は、実施例３に係る電気掃除機のローラー部の断面図である。また、図５は同ローラーを覆う紡績布の側面図であり、図６は同紡績布の断面図である。なお、これら図において、実施例１と同一又は相当する個所には同一の符号を付しその説明を省略する。
【００２９】
実施例３において、ローラー４は実施例１と同一のものである。このローラー４を、側面壁１１の外面から接地面壁１３の接地面（外周面）１２を越えて内面側にかけて、巾着状の紡績布３１（図５及び図６参照）で覆うように構成している（図４参照）。巾着状の紡績布３１の開口部３２には、紐通し穴が形成されている。そして、この紐通し穴にゴム紐３３が挿入されている。
【００３０】
巾着状の紡績布３１のローラー４への取り付けは、ローラー４の内面側においてゴム紐３３で開口部３２を弾力的に収縮させ、この開口部３２を接地面壁１３の内周側に引っ掛けることにより、紡績布３１をローラー４の側面壁１１外面から接地面１２にかけて固定している。なお、その他の構成は実施例１と同一である。
【００３１】
上記構成の実施例３によれば、ローラー４の側面壁１１外面から接地面１２を越えてローラー４の内面側にかけて巾着状の紡績布３１で覆い、ローラー４の内面側において巾着状の開口部３２をゴム紐３３で収縮させることにより、紡績布３１をローラー４の側面壁１１外面から接地面１２にかけて固定しているので、前述の実施例１の場合と同様の効果を奏することができる。すなわち、ローラー４と床面との間での接触音を小さくし、床面に対し傷付け難くすることができる。また、段差部を乗り越えるときの衝撃音や家具に当たったときの衝撃音を弱くすることができ、段差部や家具に対し傷付け難くすることができる。また、巾着状の開口部３２を広げて簡単にローラー４に紡績布３１を着脱することができる。したがって、紡績布３１が汚れた場合には簡単に紡績布３１のみを洗濯することができる。
【実施例４】
【００３２】
次に、実施例４を図７〜図９に基づいて説明する。図７は実施例４に係る電気掃除機のローラー部の断面図である。また、図８は同ローラーの接地面壁の内周に嵌着される嵌合部材の側面図であり、図９は同嵌合部材の側面図である。なお、これら図において、実施例１と同一又は相当する個所には同一の符号を付しその説明を省略する。
【００３３】
実施例４においては、ローラー４は、側面壁１１の外面から接地面１２にかけて紡績布４１で覆われている。そして、紡績布の端部４１ａは、ローラー４の内面側となる接地面壁１３の内周面へ折り返されている。
【００３４】
図７において、符合４２は、接地面壁１３の内周面に嵌着される嵌合部材である。嵌合部材４２は、接地面壁１３の内周面に嵌着される環状壁４３を備えている。
【００３５】
紡績布４１の端部４１ａは、この嵌合部材４２を接地面壁１３の内周側に嵌入させることにより、接地面壁１３と環状壁４３との間に挟着されている。
【００３６】
また、嵌合部材４２は、環状壁４３の外周に返り４４を備えている（図８及び図９参照）。この返り４４は、紡績布４１の折り返し端部４１ａが接地面壁１３と環状壁４３との間からすり抜けるのを防止するためのものである。
【００３７】
上記のように構成されている実施例４によれば、接地面１２及び側面壁１１の外面が紡績布４１で覆われているので、実施例１の場合と同様に、床面及び家具への傷付けを緩和するとともに、床面及び家具との間で発生する衝撃音及び走行音を緩和することができる。また、嵌合部材４２を接地面壁１３の内周側に挿入して紡績布４１の端部を引っ張りながら取り付けているので、紡績布４１の張りを向上させることができる。また、紡績布４１の取り付け工数を低減し、コストを軽減することができる。
【実施例５】
【００３８】
次に、実施例５を図１０〜図１２に基づいて説明する。図１０は実施例５に係る電気掃除機のローラー部の断面図である。また、図１１は同ローラーの断面図であり、図１２はローラー部に用いられる側面カバーの断面図である。なお、これら図において、実施例１と同一又は相当する個所には同一の符号を付しその説明を省略する。
【００３９】
実施例５においては、掃除機本体の両側面に、ローラー４とローラー４の中心部側面をカバーする側面カバー５０とが設けられている。
【００４０】
ローラー４は、接地面１２を備えた断面が略コの字形をした輪部４ａと、この輪部４ａの内周面に連続する内鍔部４ｂとから形成されている。輪部４ａは、コの字型の垂直線部が外面側となるように形成され、コの字型の水平面をなす外周面が接地面１２を形成している。内鍔部４ｂは、輪部４ａの両側から内側へ段付き状に形成された壁部である。なお、ローラー４は、掃除機本体１の両側面に回転自在に取り付けられている。
【００４１】
また、ローラー４には、輪部４ａの外面及び接地面１２を覆うように内鍔部４ｂの外面から接地面１２の裏側にかけて紡績布５１が被せられ、紡績布５１は両端部で溶着などの手段により固着されている。
【００４２】
側面カバー５０は、ローラー４の輪部４ａの内周側空間部を側面からカバーするように、掃除機本体１に直接固定的に取り付けられている。側面カバー５０の大きさは、輪部４ａの内周側に挿入され、かつ鍔部４ｂの外面を略全体覆う大きさとされている。したがって、紡績布５１の鍔部４ｂの外面に溶着される端部は、側面カバー５０で隠れるように構成されている。
【００４３】
上記のように構成された実施例５によれば、ローラー４の接地面１２及び外面が紡績布４１で覆われているので、実施例１の場合と同様に、床面及び家具への傷付けを緩和するとともに、床面及び家具との間で発生する衝撃音及び走行音を緩和することができる。また、紡績布５１の固着部が側面カバー５０で覆われているので、外観が向上するとともに、固着部が剥がれ難くなるという効果を有する。
【実施例６】
【００４４】
次に、実施例６を図１３〜図１６に基づいて説明する。図１３は実施例６に係る電気掃除機の掃除機本体の右側面図である。図１４は同掃除機本体の後部横断面図である。図１５は図１４におけるＡ部拡大図であり、シャッター閉鎖状態図である。図１６は図１４におけるＡ部拡大図であり、シャッター開放状態図である。なお、図１４〜図１６における実線矢視は排気の流れ方向を示す。
【００４５】
実施例６に係る電気掃除機の掃除機本体６１は、図示しない吸込具から吸い込んだ空気を集塵室に通して、空気中の塵埃を分離除去し蓄積するものである。また、掃除機本体６１は、図１３に示すように、前面に吸込口６２を有し、底部の前方側に回転自在に取り付けられたキャスター６３を有する。また、掃除機本体６１の後部の両側面に掃除機本体６１を移動するためのローラー６４を有する。このように構成された掃除機本体６１は、吸込口６２に接続されるホース（図示せず）を介して引き回される。
【００４６】
掃除機本体１は、上ケースと下ケースとからなるケース６５を備えている。そして、ケース６５の内部も、吸込口６２の後部に集塵室が形成され、さらに、その集塵室の後部に送風機及び送風機モータ６６が収納されている（図１４参照）。また、送風機モータ６６の下方に機外へ排気する排気用フィルター６７が載置され、この排気がローラー６４の中心部から排出されるように構成されている（図１４における矢印参照）。
【００４７】
ローラー６４は、図１４に示すように、輪部７１を備えたものである。また、ローラー６４は、輪部７１の接地面７２に紡績布７３を接着している。このローラー６４は掃除機本体６１の側面に回転自在に取り付けられている。
【００４８】
ローラー６４の輪部７１の内周側には、飾り枠７４が挿入されている。この飾り枠７４は掃除機本体６１に対し固定されている。また、飾り枠７４の中央部は、掃除機本体１に形成された排気口が露出するように形成されている。なお、この排気口には、網目状の保護板（メッシュ部）７５が取り付けられている。
【００４９】
また、飾り枠７４の下部内側には、メッシュ部７５の押え枠７４ａが形成され、その外側には排気を上方に変更させる偏向壁７４ｂが形成されている。排気が水平に排出されたときには床面の埃を舞い上げることがある。この偏向壁７４ｂは、この埃の舞い上がりを防止するためのものであって、排気を上方に偏向させ、排気口の外側にエアーカーテンを形成し、排気が床面に吹き付けられるのを防止するものである。なお、押え枠７４ａと偏向壁７４ｂとは下端部で連続し、断面Ｖ字形に形成されている。
【００５０】
また、図１６において、寸法Ｌ１は、押え枠７４ａの上端における押え枠７４ａと偏向壁７４ｂとの間隔を示し、Ｌ２は押え枠７４ａの先端部と偏向壁７４ｂの先端部との差寸法を意味する。実験の結果によると、寸法Ｌ１は約１０ｍｍが最適であるという結果が得られた。すなわち、１０ｍｍ以下では排気風速が速くなり過ぎ、また、１０ｍｍ以上ではエア−カーテンの力が弱く、排気を上向きにすることができないということが判明した。また、Ｌ２についてもエアーカーテン効果の面から約６．５ｍｍが最適であることが解明された。
【００５１】
また、押え枠７４ａと偏向壁７４ｂとにより断面Ｖ字形に形成されている部分の上方には、フラップ７６が設けられている。このフラップ７６は、内側に支点を有し、排気風により開放され、排気が停止すると重量により自然に閉鎖するように形成されている。したがって、このフラップ７６は、排気風力により自動的に、運転停止時や収納時には閉鎖され（図１５参照）、運転時に開放される（図１６参照）。このような構成のフラップ７６を設けることにより、運転停止時や収納時に埃が溜まるのを防止することができる。なお、床面の舞い上がり防止だけのためであれば、このようなフラップ７６を設ける必要がない。
【００５２】
上記のように構成された実施例６によれば、ローラー６４の接地面７２及び外面が紡績布７３で覆われているので、実施例１の場合と同様に、床面及び家具への傷付けを緩和するとともに、床面及び家具との間で発生する衝撃音及び走行音を緩和することができる。
【００５３】
また、実施例６によれば、ローラー６４の中心部を排気口として利用しているので、排気口を大きくすることができる。これにより、排気風速を小さくすることができ、床面の埃の舞い上がりを抑制することができる。さらに、この実施例では、この排気口の下部に偏向壁７４ｂを形成し、これにより排気を上方に偏向させるエア−カーテンを形成しているので、床面の埃の舞い上がりをより一層抑制することができる。また、偏向壁７４ｂとメッシュ部７５の押え枠７４ａとの間が一体に形成され運転停止時に埃が溜まり易くなっているが、排気風力により自動的に開閉するフラップ７６を設けているので、運転停止時に埃が溜まるのを抑制することができる。
【図面の簡単な説明】
【００５４】
【図１】本発明の実施例１に係る電気掃除機の掃除機本体の外観側面図である。
【図２】同電気掃除機のローラー部の断面図である。
【図３】実施例２に係る電気掃除機のローラー部の断面図である。
【図４】実施例３に係る電気掃除機のローラー部の断面図である。
【図５】同ローラーを覆う紡績布の側面図である。
【図６】同紡績布の断面図である。
【図７】実施例４に係る電気掃除機のローラー部の断面図である。
【図８】同ローラーの接地面壁の内周に嵌着される嵌合部材の側面図である。
【図９】同嵌合部材の側面図である。
【図１０】実施例５に係る電気掃除機のローラー部の断面図である。
【図１１】同ローラーの断面図である。
【図１２】ローラー部に用いられる側面カバーの断面図である。
【図１３】実施例６に係る電気掃除機の掃除機本体の右側面図である。
【図１４】同掃除機本体の後部横断面図である。
【図１５】図１４におけるＡ部拡大図であり、フラップ閉鎖状態図である。
【図１６】図１４におけるＡ部拡大図であり、フラップ開放状態図である。
【符号の説明】
【００５５】
１  掃除機本体
２  吸込口
４  ローラー
４ｂ  内鍔部
４ａ  輪部
４ｂ  鍔部
５  紡績布
１１  側面壁
１２  接地面
１３  接地面壁
２０  クッション材
３１  紡績布
３２  開口部
３３  ゴム紐
４１  紡績布
４１ａ  端部
４２  嵌合部材
４３  環状壁
５０  側面カバー
５１  紡績布
６１  掃除機本体
６２  吸込口
６４  ローラー
７１  輪部
７２  接地面
７３  紡績布
【図１】
2005040421.tif 000003
【図２】
2005040421.tif 000004
【図３】
2005040421.tif 000005
【図４】
2005040421.tif 000006
【図５】
2005040421.tif 000007
【図６】
2005040421.tif 000008
【図７】
2005040421.tif 000009
【図８】
2005040421.tif 000010
【図９】
2005040421.tif 000011
【図１０】
2005040421.tif 000012
【図１１】
2005040421.tif 000013
【図１２】
2005040421.tif 000014
【図１３】
2005040421.tif 000015
【図１４】
2005040421.tif 000016
【図１５】
2005040421.tif 000017
【図１６】
2005040421.tif 000018